(57)【要約】  測長システムは、主目盛を示す目盛パターンと、前記主目盛が示す位よりも下位の位を示す補間パターンを備えた帯状のスケール部と、前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、前記測長部によって計測された計測値を記憶するデータ記憶部と、を備える。
2018104994.tif 000002
【特許請求の範囲】
【請求項１】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、
前記測長部によって計測された計測値を記憶するデータ記憶部と、
を、備えた測長システム。
【請求項２】
前記目盛パターン及び前記補間パターンは、それぞれビットパターンで表現された請求項１に記載の測長システム。
【請求項３】
前記補間パターンは、分解能に応じて、前記スケール部の幅方向及び長手方向に分割された領域毎に割り当てられた符号を有し、前記データ処理部は、前記符号の組み合わせに基づいて、前記分解能に応じた計測値を算出する請求項１又は２に記載の測長システム。
【請求項４】
前記測長部の分解能は、前記目盛パターンの目盛間隔の２分の１であり、前記補間パターンは、前記スケール部の幅方向に２分割されると共に、前記スケール部の長手方向に沿って、前記目盛パターンの目盛間隔を４分割し、分割された領域毎に割り当てられた符号を有し、前記データ処理部は、前記符号の組み合わせに基づいて、前記分解能に応じた計測値を算出する請求項１又は２に記載の測長システム。
【請求項５】
前記測長部の分解能は、前記目盛パターンの目盛間隔の４分の１であり、前記補間パターンは、前記スケール部の幅方向に３分割されると共に、前記スケール部の長手方向に沿って、前記目盛パターンの目盛間隔を８分割し、分割された領域毎に割り当てられた符号を有し、前記データ処理部は、前記符号の組み合わせに基づいて、前記分解能に応じた計測値を算出する請求項１又は２に記載の測長システム。
【請求項６】
前記測長部は、前記データ処理部によって算出された前記計測値を前記データ記憶部に送信する計測値送信部をさらに備える請求項１乃至５のいずれか一項に記載の測長システム。
【請求項７】
前記目盛パターン及び前記補間パターンは、発光インクで設けられており、前記測長部は、前記目盛パターン及び前記補間パターンを照射可能に設けられた光源を備える請求項１乃至６のいずれか一項に記載の測長システム。
【請求項８】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、
を含む測長器。
【請求項９】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、を含む測長部と、
を含む測長器。
【請求項１０】
前記目盛パターン及び前記補間パターンは、それぞれビットパターンで表現された請求項８又は９に記載の測長器。
【請求項１１】
前記補間パターンは、分解能に応じて、前記スケール部の幅方向及び長手方向に分割された領域毎に割り当てられた符号を有し、前記データ処理部は、前記符号の組み合わせに基づいて、前記分解能に応じた計測値を算出する請求項８乃至１０のいずれか一項に記載の測長器。
【請求項１２】
前記測長部の分解能は、前記目盛パターンの目盛間隔の２分の１であり、前記補間パターンは、前記スケール部の幅方向に２分割されると共に、前記スケール部の長手方向に沿って、前記目盛パターンの目盛間隔を４分割し、分割された領域毎に割り当てられた符号を有し、前記データ処理部は、前記符号の組み合わせに基づいて、前記分解能に応じた計測値を算出する請求項８乃至１０のいずれか一項に記載の測長器。
【請求項１３】
前記測長部の分解能は、前記目盛パターンの目盛間隔の４分の１であり、前記補間パターンは、前記スケール部の幅方向に３分割されると共に、前記スケール部の長手方向に沿って、前記目盛パターンの目盛間隔を８分割し、分割された領域毎に割り当てられた符号を有し、前記データ処理部は、前記符号の組み合わせに基づいて、前記分解能に応じた計測値を算出する請求項８乃至１０のいずれか一項に記載の測長器。
【請求項１４】
主目盛を示す目盛パターンと、前記主目盛が示す位よりも下位の位を示す補間パターンを備えた帯状のスケール部に、前記目盛パターン及び前記補間パターンを読み取る読取部を備えた測長部をスライドさせる工程と、
前記スケール部の一端を、測定対象の一端に合わせつつ、前記測長部が備える指示部を前記計測対象の他端となる計測位置に一致させ、読取位置を確定する工程と、
確定した前記読取位置において前記読取部が読み取った前記目盛パターン及び前記補間パターンに基づいて、計測値を算出する工程と、
を含む測長方法。
【発明の詳細な説明】
【技術分野】
【０００１】
本明細書開示の発明は、測長システム、測長器及び測長方法に関する。
【背景技術】
【０００２】
従来、長さを測定するための測長器等が提案されている。例えば、巻尺テープの移動量を検出するロータリーエンコーダーを備えたデジタル表示測長器が知られている（例えば、特許文献１）。また、同様に、ロータリーエンコーダーを備えた鋼製巻尺読み取り器も知られている（特許文献２参照）。
【先行技術文献】
【特許文献】
【０００３】
【特許文献１】特開昭６３−２６３４０７号公報
【特許文献２】特開平８−２８５５４２号公報
【発明の概要】
【発明が解決しようとする課題】
【０００４】
しかしながら、特許文献１や特許文献２は、長さを測定するために、巻尺テープ等に沿ってロータリーエンコーダーを移動させ、その移動量を測定することで計測値を得る。また、計測に際してプリセットを行わなければならず、計測開始後、即座に計測値を得ることが困難であり、改良の余地がある。【０００５】
そこで、本明細書開示の測長システム、測長器及び測長方法は、計測開始後、即座に計測値を得ることを課題とする。
【課題を解決するための手段】
【０００６】
かかる課題を解決するために、本明細書に開示された測長システムは、主目盛を示す目盛パターンと、前記主目盛が示す位よりも下位の位を示す補間パターンを備えた帯状のスケール部と、前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、前記測長部によって計測された計測値を記憶するデータ記憶部と、を備える。【０００７】
また、本明細書に開示された測長器は、主目盛を示す目盛パターンと、前記主目盛が示す位よりも下位の位を示す補間パターンを備えた帯状のスケール部と、前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、を含む。【０００８】
さらに、本明細書に開示された他の測長器は、主目盛を示す目盛パターンと、前記主目盛が示す位よりも下位の位を示す補間パターンを備えた帯状のスケール部と、前記スケール部に対してスライド可能に設けられ、計測対象の計測位置を指し示す指示部と、前記目盛パターン及び前記補間パターンを読み取る読取部と、を含む測長部と、を含む。【０００９】
さらに、本明細書開示の測長方法は、主目盛を示す目盛パターンと、前記主目盛が示す位よりも下位の位を示す補間パターンを備えた帯状のスケール部に、前記目盛パターン及び前記補間パターンを読み取る読取部を備えた測長部をスライドさせる工程と、前記スケール部の一端を、測定対象の一端に合わせつつ、前記測長部が備える指示部を前記計測対象の他端となる計測位置に一致させ、読取位置を確定する工程と、確定した前記読取位置において前記読取部が読み取った前記目盛パターン及び前記補間パターンに基づいて、計測値を算出する工程と、を含む。
【発明の効果】
【００１０】
本明細書開示の測長システム、測長器及び測長方法は、計測開始後、即座に計測値を得ることができる。
【図面の簡単な説明】
【００１１】
【図１】図１は実施形態の測長システムの概略構成を示す説明図である。
【図２】図２は実施形態の測長システムが備える測長器の概略構成を示す説明図である。
【図３】図３（Ａ）はスケール部と測長器とを示す説明図であり、図３（Ｂ）はスケール部と測長器との位置関係を模式的に示す説明図である。
【図４】図４（Ａ）はスケール部の一部を拡大して示す説明図であり、図４（Ｂ）はスケール部とフォトダイオードアレイとの位置関係を示す説明図である。
【図５】図５は目盛パターン及び補間パターンを形成するビット配列の一例を示す説明図である。
【図６】図６は目盛パターンの符号化の一例を示す説明図である。
【図７】図７は測長器の計測時の制御の一例を示すフロー図である。
【図８】図８は読取位置の決定について説明する説明図である。
【図９】図９は読取位置の決定について説明する説明図である。
【図１０】図１０は補間パターンの説明図である。
【図１１】図１１（Ａ）、図１１（Ｂ）は測長器による長さ計測の一例を示す説明図である。
【図１２】図１２は他の実施形態における目盛パターン及び補間パターンを示す説明図である。
【図１３】図１３は他の実施形態の補間パターンの説明図である。
【図１４】図１４は目盛パターン及び補間パターンを形成するビット配列の他の例を示す説明図である。
【発明を実施するための形態】
【００１２】
以下、本発明の実施形態について、添付図面を参照しつつ説明する。ただし、図面中、各部の寸法、比率等は、実際のものと完全に一致するようには図示されていない場合がある。また、図面によっては細部が省略されて描かれている場合もある。
【００１３】
（実施形態）
まず、図１乃至図６を参照して、実施形態の測長システム１００の概略構成について説明する。図１は実施形態の測長システムの概略構成を示す説明図である。図２は実施形態の測長システムが備える測長器の概略構成を示す説明図である。図３（Ａ）はスケール部と測長器とを示す説明図であり、図３（Ｂ）はスケール部と測長器との位置関係を模式的に示す説明図である。図４（Ａ）はスケール部の一部を拡大して示す説明図であり、図４（Ｂ）はスケール部とフォトダイオードアレイとの位置関係を示す説明図である。図５は目盛パターン及び補間パターンを形成するビット配列の一例を示す説明図である。図６は目盛パターンの符号化の一例を示す説明図である。
【００１４】
測長システム１００は、測長器１と、データ記憶部に相当するデータ収集部７０を備える。測長器１は、スケール部１０と測長部３０を備える。測長部３０は、スケール部１０に対してスライド可能に設けられている。すなわち、測長部３０は、スケール部１０の長手方向に沿ってスライドすることで移動することができる。本実施形態におけるスケール部１０は、１５０ｃｍまで計測することができる。また、本実施形態では、主目盛を１ｃｍ刻みとし、分解能を、その２分の１の０．５ｃｍとしている。
【００１５】
帯状のスケール部１０には、読取タイミングマーカ１１、主目盛を示す目盛パターン１２及び補間パターン１３が設けられている。読取タイミングマーカ１１、主目盛を示す目盛パターン１２及び補間パターン１３は、それぞれ、ビットパターンで表現されている。本実施形態では、後に詳述するように、読取タイミングマーカ１１で１ビット、目盛パターン１２で８ビット、補間パターン１３で２ビットを用いる。読取タイミングマーカ１１、主目盛を示す目盛パターン１２及び補間パターン１３は、説明の都合上、図面において、目視できる態様で描いているが、いずれも、実際は、発光インクによって印刷されることで設けられている。発光インクで印刷された読取タイミングマーカ１１、目盛パターン１２及び補間パターン１３は可視光では見えないため、スケール部１０の両側に描かれている目盛や数値を使用者が目視し易くなる。また、スケール部１０には、通常の巻尺等と同様に、使用者が目視することができる目盛も設けられている。本実施形態では、スケール部１０の両側縁に目視可能な目盛が設けられている。なお、使用されるインクは、符号を表現できるものであれば、発光インクに限定されず、目視できるインクで印刷してもよい。
【００１６】
本実施形態における主目盛は、１ｃｍ刻みで設けられている。図１を参照すると、２８や２９といった数値は、主目盛が振られた数値に対応している。読取タイミングマーカ１１は、スケール部１０の幅方向に目盛パターン１２と並べて設けられている。すなわち、読取タイミングマーカ１１は、主目盛と一致させて設けられており、読み取りタイミングを示す。すなわち、後に説明する読取部３２ａは、読取タイミングマーカ１１を通過したときに読取動作を実行する。これにより、読取部３２ａは、主目盛を読み取る。図５を参照すると、読取タイミングマーカ１１は、１ビット使用して表現されている。
【００１７】
目盛パターン１２は、主目盛が振られた数値をビットパターンで表現している。本実施形態では、１５０ｃｍまでの数値を表現するため、図５に示すように８ビットを使用して数値を表現している。８ビットは、スケール部１０の幅方向に沿って配列されている。図６を参照すると、１ｃｍ毎の数値を、８ビットを用いて２進数で符号化している。なお、本実施形態では、さらに、グレイコードに変換したものが目盛パターン１２としてスケール部１０に印刷されている。
【００１８】
単純な２進数で符号化した場合、例えば、目盛が３ｃｍmから４ｃｍに変化する際、２進数では下３ビットが同時に変化する。一方、グレイコードを用いると、１ビットしか変化しない。したがって、変化するビットについて読取り誤りが発生した場合でも、グレイコードを用いているとビット列から目盛算出をする際に誤差を小さくできる。例えば、単純２進数で、３ｃｍ→４ｃｍの変化となる場合を表現すると、０１１→１００と３ビット変化するが、これを、例えば、０１１→１１０と１ビット読み誤った場合、表現された数値は、６ｃｍとなってしまう。これに対し、グレイコードを用いると、その変化は、０１０→１１０と１ビット変化するだけなので、０１０→０１０と１ビット読み誤った場合であっても、目盛数値は３ｃｍで変化前の値となる。
【００１９】
補間パターン１３は、主目盛が示す位よりも下位の位を示す。補間パターン１３は、分解能に応じて、スケール部１０の幅方向及び長手方向に分割された領域毎に割り当てられた符号を有する。本実施形態において、測長部３０の分解能は、目盛パターン１２の目盛間隔の２分の１、すなわち、０．５ｃｍに設定されている。このため、測長器１は、読取部３２ａの位置に応じて、０．５ｃｍ刻みの計測値を得ることができる。例えば、２８．７５≦読取部の位置＜２９．２５のときの計測値は、２９．０である。２９．２５≦読取部の位置＜２９．７５のとき、２９．５である。２９．７５≦読取部の位置＜３０．２５のときの計測値は３０．０である。３０．２５≦読取部の位置＜３０．７５のときの計測値は３０．５である。３０．７５≦読取部の位置＜３１．２５のときの計測値は３１．０である。
【００２０】
この分解能を実現するために、本実施形態では、２ビットを用いている。具体的に、スケール部１０の幅方向に２分割されると共に、スケール部１０の長手方向に沿って、目盛パターン１２の目盛間隔を４分割し、分割された領域毎に割り当てられた符号を有している。補間パターン１３については、後に詳述する。
【００２１】
測長部３０は、ケース３１を備えている。図３（Ａ）や図３（Ｂ）を参照すると、ケース３１内には、読取部３２ａを形成するフォトダイオードアレイ３２が組み込まれている。フォトダイオードアレイ３２は、読取タイミングマーカ１１の１ビット、目盛パターン１２の８ビット、補間パターン１３の２ビットに対応すべく、１１個のフォトダイオードがスケール部１０の幅方向に合わせて配列されている。このようなフォトダイオードの配列が読取部３２ａを形成している。ケース３１の側壁には、計測確定ボタン３３が設けられている。計測確定ボタン３３が、短時間に１回押下されると測長部３０は計測値をデータ収集部７０へ送信する。計測確定ボタン３３は、長押しすることで、測長部３０の電源オン、オフを行うことができる。また、計測確定ボタン３３は、短時間に２回押下されることで、全箇所測定終了の信号を発することができる。ケース３１の内部には、光源３４が内蔵されている。光源３４は、図４（Ｂ）に示すように、発光インクで印刷された読取タイミングマーカ１１、目盛パターン１２及び補間パターン１３を照射可能に設けられている。
【００２２】
ケース３１には、ディスプレイ３５が設けられている。ディスプレイ３５には、計測値が表示される。ケース３１内には、バッテリ３６が内蔵されている。バッテリ３６は、光源３４、ディスプレイ３５、データ処理部５０等の駆動に用いられる。
【００２３】
ケース３１内には、データ処理部５０が設けられている。データ処理部５０は、ＣＰＵ（Central Processing Unit）、ＲＯＭ（Read Only Memory）、ＲＡＭ（Random Access Memory）、記憶部を備える。データ処理部５０は、ＲＯＭあるいは記憶部に格納されているプログラムに基づいて計測値を算出する。データ処理部５０には、読取タイミングマーカ検出部５１、目盛パターン検出部５２、補間パターン検出部５３、計測値計算部５４、計測値決定部５５及び計測値送信部５６を含む。読取タイミングマーカ検出部５１、目盛パターン検出部５２及び補間パターン検出部５３は、読取部３２ａと電気的に接続されている。計測値計算部５４は、読取タイミングマーカ検出部５１、目盛パターン検出部５２及び補間パターン検出部５３から取得したデータに基づいて、計測値を算出し、算出した計測値をディスプレイ３５に表示させる。また、計測値計算部５４は、算出した計測値を計測値決定部５５へ伝える。計測値決定部５５は、計測確定ボタン３３が押されたときに受け取っていた計測値を確定させる。確定した計測値は、計測値送信部５６を介してデータ収集部７０に送信される。ここで、本実施形態では、データ収集部７０は、いわゆるスマートフォンやノートパソコン等を想定している。なお、データ収集部７０に代えて、ＵＳＢメモリー等にデータを収集するようにしてもよい。この場合、計測値送信部５６は不要となる。また、データ収集部としていわゆるクラウドを活用するようにしてもよい。この場合、スマートフォンやノートパソコンを介してデータをクラウドに送信するようにすることができる。クラウドにデータを蓄積することで、他のシステム等でデータを活用しやすくなる。
【００２４】
データ処理部５０は、ケース３１の外部に設けてもよい。すなわち、読取部３２ａで読み取ったデータをケース３１の外部へ送信し、ケース３１の外部でデータの処理を行うようにしてもよい。
【００２５】
測長部３０は、計測対象の計測位置を指し示す指示部を備える。本実施形態においては、ケース３１の端面３１ａが指示部として機能している。図１を参照すると、本実施形態において、端面３１ａと読取部３２ａとの間隔は１ｃｍとなっている。このため、例えば、端面３１ａを３０ｃｍに合わせて計測を行うと、読取部３２ａは、３１ｃｍの位置を読み取っている。このため、本実施例では、読取部３２ａが読み取った値から１ｃｍ減算した値を計測値としている。本実施形態では、計測値を算出する段階で端面３１ａと読取部３２ａとの差分を修正しているが、予め、目盛パターン１２において、１ｃｍずらしておいてもよい。すなわち、実際は３１ｃｍである位置に３０ｃｍのパターンを設けておいてもよい。また、このような端面３１ａに代えて、例えば、内部に配置されている読取部３２ａと一致させて、ケース３１の外観に矢印を描き、この矢印を指示部としてもよい。
【００２６】
つぎに、図７乃至図１１（Ｂ）を参照しつつ、測長システム１００を用いた長さの計測について説明する。図７は測長器の計測時の制御の一例を示すフロー図である。図８、図９は読取位置の決定について説明する説明図である。図１０は補間パターンの説明図である。図１１（Ａ）、図１１（Ｂ）は測長器による長さ計測の一例を示す説明図である。
【００２７】
まず、図７のステップＳ１において、読取部３２ａにより、電源がＯＮとされた時点でのパターン読み込みを開始する。電源は、計測確定ボタン３３を長押しすることでＯＮ状態とされる。ステップＳ２では、読み込んだパターンのうち、読取タイミングマーカ１１が「１」を示しているか否かを判断する。ステップＳ２でＮＯと判断したときは、ステップＳ１からの処理を繰り返す。ステップＳ２からステップＳ１へ移行する間に測長部３０が僅かに移動し、主目盛の一つを通過すると、目盛パターン１２を読み取ることができる。主目盛は１ｃｍ毎に設けられているため、測長部３０が僅かに、具体的に１ｃｍ以内動くだけで、この条件を満たすことができる。
【００２８】
ステップＳ２でＹＥＳと判断したときは、ステップＳ３へ進む。ステップＳ３では、ステップＳ２においてＹＥＳと判断したときに、同時に読み取っていた目盛パターン１２から主目盛の値を読み取り、把握する。
【００２９】
ステップＳ３に引き続いて行うステップＳ４では、１１ビット分のパターンを読み込む。そして、ステップＳ４に引き続いて行うステップＳ５において、ステップＳ４で読み込んだパターンから読取タイミングマーカ１１が「１」を示しているか否かを判断する。読取タイミングマーカ１１が「１」を示しているときは、ＹＥＳと判断し、ステップＳ６へ進む。ステップＳ６では、目盛パターン１２から主目盛値を読み取る。一方、ステップＳ５でＮＯと判断したときは、ステップＳ７へ進む。ステップＳ７では、補間パターン１３を読み取る。
【００３０】
ステップＳ６を経由するときは、ステップＳ８をスキップしてステップＳ９へ進む。読取タイミングマーカ１１が「１」であるときは、そのまま目盛パターン１２が示す主目盛の値を読取部３２ａの位置として採用することができるからである。一方、ステップＳ７を経由するときは、ステップＳ８へ進む。ステップＳ８では、目盛パターン１２が示す主目盛値と補間パターン１３から読取部３２ａの位置を算出する。ここで、図８、図９を参照して、読取部３２ａの位置の決定について説明する。
【００３１】
まず、図８を参照して、スケール部１０に対して測長部３０が右方向へ移動する場合について説明する。電源がＯＮとされたとき、読取部３２ａが位置する読取位置を、図８におけるＡ点であると仮定する。Ａ点は、３０ｃｍよりも大きい側に位置しているが、この時点において、読み取る主目盛の値は不明である。この状態から、測長部３０を右側に移動させ、Ｂ点に到達する。Ｂ点は、主目盛３０ｃｍの位置である。この時、読取部３２ａは、主目盛値を３０ｃｍと読み取る。そして、さらに、測長部３０を右側に移動させ、Ｃ点に到達すると、補間パターン１３に基づいて、測長部３０が２９ｃｍの方向へ移動していると判断することができる。
【００３２】
ここで、図１０を参照して、補間パターン１３について詳細に説明する。本実施形態では、補間パターン１３に２ビットを用いている。具体的に、スケール部１０の幅方向に２分割された領域を備える。この領域に１ビットずつ割り当てられる。図１０を参照すると、ａとｂの領域が形成されている。そして、ａとｂの領域は、さらに、スケール部１０の長手方向に沿って、目盛パターン１２の目盛間隔を４分割されている。図１０において、各領域は、主目盛間において、ａ１〜ａ４及びｂ１〜ｂ４のように表現されている。ａの領域では、ａ１〜ａ４のうち、ハッチングを施したａ１〜ａ３に「１」が付与されている。一方、ｂの領域では、ｂ１〜ｂ４のうち、ハッチングを施したｂ２〜ｂ４に「１」が付与されている。これにより、各領域の、１、０の組み合わせによって、読取位置がどの位置であるのかを判定できるようになる。
【００３３】
例えば、図８におけるＣ点の場合、まず、目盛パターン１２から読取部３２ａは主目盛３０ｃｍの近傍にあることが分かっている。そして、つぎに、ａの領域が「０」、ｂの領域が「１」であると読み取ることで、測長部３０が２９ｃｍの方向に移動していることがわかる。すなわち、読取部はａ４とｂ４が重なった箇所に位置していると判断することができる。
【００３４】
Ｄ点を図１０に当てはめると、３０ｃｍと２９ｃｍとの間において、ａ３とｂ３とが重なっている点である。測長部３０の読取部３２ａがＤ点に位置しているとき、読取部３２ａは、ａの領域、ｂの領域の双方が「１」であると読み取る。このような読取部３２ａの読取結果から計測値が２９．５ｃｍであると判断することができるようになる。
【００３５】
同様に、Ｅ点を図１０に当てはめると、３０ｃｍと２９ｃｍと間において、ａ１とｂ１とが重なっている点である、測長部３０の読取部３２ａがＥ点に位置しているとき、読取部３２ａは、ａの領域が「１」、ｂの領域が「０」と読み取る。このような読取部３２ａの読取結果から計測値が２９．０と判断することができるようになる。
【００３６】
測長部３０がさらに右側に移動し、２９ｃｍを超えると、２９ｃｍから２８ｃｍの間で同様の判定を行うことで、計測値を導き出すことができる。
【００３７】
つぎに、図９を参照して、スケール部１０に対して測長部３０が左方向へ移動する場合について説明する。電源がＯＮとされたとき、読取部３２ａが位置する読取位置を、図９におけるＡ点であると仮定する。Ａ点は、２９ｃｍよりも大きい側に位置しているが、この時点において、読み取る主目盛の値は不明である。この状態から、測長部３０を左側に移動させ、Ｂ点に到達する。Ｂ点は、主目盛３０ｃｍの位置である。この時、読取部３２ａは、主目盛値を３０ｃｍと読み取る。そして、さらに、測長部３０を左側に移動させ、Ｃ点に到達すると、補間パターン１３に基づいて、測長部３０が３１ｃｍの方向へ移動していると判断することができる。
【００３８】
Ｃ点を図１０に当てはめると、３０ｃｍと３１ｃｍとの間において、ａ１とｂ１とが重なっている点である。測長部３０の読取部３２ａがＣ点に位置しているとき、読取部３２ａは、ａの領域が「１」、ｂの領域が「０」であると読み取る。このような読取部３２ａの読取結果から計測値が３０．０ｃｍであると判断することができるようになる。
【００３９】
Ｄ点を図１０に当てはめると、３０ｃｍと３１ｃｍとの間において、ａ２とｂ２とが重なっている点である。測長部３０の読取部３２ａがＤ点に位置しているとき、読取部３２ａは、ａの領域、ｂの領域の双方が「１」であると読み取る。このような読取部３２ａの読取結果から計測値が３０．５ｃｍであると判断することができるようになる。
【００４０】
同様に、Ｅ点を図１０に当てはめると、３０ｃｍと３１ｃｍと間において、ａ４とｂ４とが重なっている点である、測長部３０の読取部３２ａがＥ点に位置しているとき、読取部３２ａは、ａの領域が「０」、ｂの領域が「１」と読み取る。このような読取部３２ａの読取結果から計測値が３１．０と判断することができるようになる。
【００４１】
測長部３０がさらに左側に移動し、３１ｃｍを超えると、３１ｃｍから３２ｃｍの間で同様の判定を行うことで、計測値を導き出すことができる。
【００４２】
ここで、図１０に示した補間パターン１３に基づく計測値の判定について、纏めると以下の如くである。すなわち、ａ４＝０でｂ４＝１のときと、ａ１＝１でｂ１＝０のときは、主目盛が示す値が計測値となる。ａ２＝１でｂ２＝１のときと、ａ３＝１でｂ３＝１のときは、主目盛の２分の１の値が計測値となる。
【００４３】
図７のステップＳ８で読取部３２ａの位置を算出した後は、ステップＳ９へ進む。ステップＳ９では、読取部３２ａの位置と、オフセット値から計測値を算出する。ここで、オフセット値とは、読取部３２ａと端面３１ａとの距離であり、本実施形態においては、１ｃｍである。例えば、読取部３２ａの読取値が３１であった場合は、計測値として３０を出力する。
【００４４】
ステップＳ９に引き続いて行うステップＳ１０では、計測確定ボタン３３が押され、ＯＮとなったか否かを判断する。ステップＳ１０でＹＥＳと判断したときは、ステップＳ１１で計測値をデータ収集部７０へ送信する。ステップＳ１０でＮＯと判断したときは、ステップＳ４からの工程を繰り返す。ステップＳ１１に引き続いて行うステップＳ１２では、計測を継続するか否かを判断する。具体的に、計測確定ボタン３３が２回続けて押され、使用者が計測終了の意思表示を行っているか否かを判断する。計測を終了する場合は、処理は終了となる。一方、ステップＳ１２でＹＥＳと判断したときは、ステップＳ４からの工程を繰り返す。
【００４５】
このように、本実施形態の測長システム１００を用いれば、測長部３０が直接目盛パターンを読み込むので、即座に計測値を得ることができる。また、補間パターン１３を読み取ることで、読取部３２ａが主目盛間に位置しているときであっても、計測値を得ることができる。このように、本実施形態の測長システム１００によれば、計測開始後、即座に計測値を得ることができる。
【００４６】
このような測長システム１００を用いることで、以下のような測長方法を実現することができる。まず、スケール部１０に、測長部３０をスライドさせる。これにより、読取部３２ａの位置が把握される。そして、スケール部１０の一端を、測定対象の一端に合わせつつ、測長部３０が備える指示部となる端面３１ａを計測対象の他端となる計測位置に一致させ、読取位置を確定する。具体的に、計測確定ボタン３３を押す。そして、確定した読取位置において読取部３２ａが読み取った目盛パターン１２及び補間パターン１３に基づいて、計測値を算出する。これにより、即座に計測値を得ることができる。
【００４７】
本実施形態の測長システム１００は、例えば、洋装店などで、衣服の着用者の身体寸法を測定する際に好適に用いることができる。従来は、店員が着用者の測定部位にメジャーを当てて、逐一、オーダーシートに記入していたが、本実施形態の測長システム１００を用いれば、自動的に計測値が記憶される。例えば、肩幅を計測する際、スケール部１０の一端を片方の肩に合わせ、指示部となる端面３１ａを計測位置となる他方の肩に合わせて計測確定ボタン３３を押せばよい。このとき、スケール部１０は一端が片方の肩にあり、そこから肩に沿って他方の肩方向へ延びている。
【００４８】
なお、上記の例では、スケール部１０の一端、すなわち、主目盛値が０ｃｍの位置を起点とした計測を行っているが、任意の位置を起点とした計測にも対応することができる。例えば、図１１（Ａ）に示すように、まず、第１の計測値として３０ｃｍを得る。そして、この値を記憶する。ついで、第２の計測値として３８ｃｍを得る。この値も記憶する。記憶したこれらの値に基づいて、その差分を求めれば、任意の位置を出発点とした計測を行うことができる。すなわち、３８ｃｍから３０ｃｍを減算することで、８ｃｍの計測値を得ることができる。
【００４９】
また、本実施形態では、主目盛の間隔を１ｃｍとしていたが、主目盛の間隔は任意に設定することができる。例えば、図１２に示す例では、主目盛の間隔が２ｍｍとなっている。そして、分解能は、１ｍｍとなっている。スケール部１５は、読取タイミングマーカ１６と、目盛パターン１７及び補間パターン１８を備える。読取タイミングマーカ１６と目盛パターン１７は、２ｍｍ毎に設けられている。また、補間パターン１８は、主目盛の間隔を４分の１として設けられている。これにより、分解能を１ｍｍとした計測値を得ることができる。
【００５０】
また、図１３に示すように、分解能をさらに高めることができる。図１３に示す例では、測長部の分解能を、目盛パターンの目盛間隔の４分の１としている。すなわち、主目盛の間隔である１ｃｍの４分の１に相当する０．２５ｍｍが分解能である。このような分解能を実現するために、補間パターン１９は、スケール部の幅方向に３分割されると共に、スケール部の長手方向に沿って、目盛パターンの目盛間隔を８分割している。そして、分割された領域毎に割り当てられた符号を有している。データ処理部は、この符号の組み合わせに基づいて分解能に応じた計測値を算出する。
【００５１】
ａ８＝０、ｂ８＝０でｃ８＝１のときと、ａ１＝１、ｂ１＝０でｃ１＝０のときは、主目盛が示す値が計測値となる。ａ２＝１、ｂ２＝１でｃ２＝０のときと、ａ３＝１、ｂ３＝１でｃ３＝０のときは、主目盛の４分の１の値が計測値となる。ａ４＝１、ｂ４＝１でｃ４＝１のときと、ａ５＝１、ｂ５＝１でｃ５＝１のときは、主目盛の４分の２の値が計測値となる。ａ６＝０、ｂ６＝１でｃ６＝１のときと、ａ７＝０、ｂ７＝１でｃ７＝１のときは、主目盛の４分の３の値が計測値となる。
【００５２】
このように、ビット数を増すことで、分解能を高めることができる。すなわち、図１３に示す例よりも分解能を高める場合には、さらに補間パターンのビット数を増せばよい。
【００５３】
また、さらに他の例として、例えば、図１４に示すように、誤り信号検出符号１４を付加してもよい。誤り信号検出符号としては、パリティ符号、巡回冗長検査(ＣＲＣ)等、従来公知の符号を用いることができる。これにより、例えば、計測値計算部５４ではフォトダイオードアレイ３２で読取った目盛パターン１２に誤りがないか誤り信号検出符号１４を用いて検証することができる。仮に、誤りがあった場合は、再度、フォトダイオードアレイ３２で目盛パターン１２を読取る。これにより、データ処理部５０から出力される計測値の信頼性を向上することができる。
【００５４】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【符号の説明】
【００５５】
１  測長器
１０、１５  スケール部
１１、１６  読取タイミングマーカ
１２、１７  目盛パターン
１３、１８、１９  補間パターン
１４  誤り信号検出符号
３０  測長部
３１  ケース
３１ａ  端面
３２  フォトダイオードアレイ
３２ａ  読取部
３３  計測確定ボタン
３４  光源
３５  ディスプレイ
３６  バッテリ
５０  データ処理部
７０  データ収集部
１００  測長システム
【図１】
2018104994.tif 000003
【図２】
2018104994.tif 000004
【図３】
2018104994.tif 000005
【図４】
2018104994.tif 000006
【図５】
2018104994.tif 000007
【図６】
2018104994.tif 000008
【図７】
2018104994.tif 000009
【図８】
2018104994.tif 000010
【図９】
2018104994.tif 000011
【図１０】
2018104994.tif 000012
【図１１】
2018104994.tif 000013
【図１２】
2018104994.tif 000014
【図１３】
2018104994.tif 000015
【図１４】
2018104994.tif 000016
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、
前記測長部によって計測された計測値を記憶するデータ記憶部と、
を、備えた測長システム。
【請求項２】
前記目盛パターン及び前記補間パターンは、それぞれビットパターンで表現された請求項１に記載の測長システム。
【請求項３】
前記補間パターンは、分解能に応じて、前記スケール部の幅方向及び長手方向に分割された領域毎に割り当てられた符号を有し、前記データ処理部は、前記符号の組み合わせに基づいて、前記分解能に応じた計測値を算出する請求項１又は２に記載の測長システム。
【請求項４】
前記測長部の分解能は、前記目盛パターンの目盛間隔の２分の１であり、前記補間パターンは、前記スケール部の幅方向に２分割されると共に、前記スケール部の長手方向に沿って、前記目盛パターンの目盛間隔を４分割し、分割された領域毎に割り当てられた符号を有し、前記データ処理部は、前記符号の組み合わせに基づいて、前記分解能に応じた計測値を算出する請求項１又は２に記載の測長システム。
【請求項５】
前記測長部の分解能は、前記目盛パターンの目盛間隔の４分の１であり、前記補間パターンは、前記スケール部の幅方向に３分割されると共に、前記スケール部の長手方向に沿って、前記目盛パターンの目盛間隔を８分割し、分割された領域毎に割り当てられた符号を有し、前記データ処理部は、前記符号の組み合わせに基づいて、前記分解能に応じた計測値を算出する請求項１又は２に記載の測長システム。
【請求項６】
前記測長部は、前記データ処理部によって算出された前記計測値を前記データ記憶部に送信する計測値送信部をさらに備える請求項１乃至５のいずれか一項に記載の測長システム。
【請求項７】
前記目盛パターン及び前記補間パターンは、発光インクで設けられており、前記測長部は、前記目盛パターン及び前記補間パターンを照射可能に設けられた光源を備える請求項１乃至６のいずれか一項に記載の測長システム。
【請求項８】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、前記読取部によって読み取った前記目盛パターン及び前記補間パターンに基づいて、前記指示部が指し示した計測位置を計測値として算出するデータ処理部と、を含む測長部と、
を含む測長器。
【請求項９】
主目盛を示す目盛パターンと、前記主目盛が示す位よりも下位の位を示す補間パターンを備えた帯状のスケール部と、
前記スケール部に対してスライド可能に設けられ、計測対象の計測位置を指し示す指示部と、前記目盛パターン及び前記補間パターンを読み取る読取部と、を含む測長部と、
を含む測長器。
【請求項１０】
主目盛を示す目盛パターンと、前記主目盛が示す位よりも下位の位を示す補間パターンを備えた帯状のスケール部に、前記目盛パターン及び前記補間パターンを読み取る読取部を備えた測長部をスライドさせる工程と、
前記スケール部の一端を、測定対象の一端に合わせつつ、前記測長部が備える指示部を前記計測対象の他端となる計測位置に一致させ、読取位置を確定する工程と、
確定した前記読取位置において前記読取部が読み取った前記目盛パターン及び前記補間パターンに基づいて、計測値を算出する工程と、
を含む測長方法。
【国際調査報告】
2018104994.tif 000017
2018104994.tif 000018
2018104994.tif 000019
2018104994.tif 000020